(57)【要約】  【課題】冷蔵室用ダクトを有する冷蔵庫において、冷蔵室ダクトの取り付け、取り外し性および清掃性を向上することを目的とする。  【解決手段】冷蔵室用ダクト１４０は、プッシュリベットを手動で回転方向の押し付け力を加えながら内箱に埋設されるグロメットリベットにねじ込むことで、圧縮力が加わった状態で内箱に取り付けられ、プッシュリベットを取り付けとは逆回転方向に手動で回すことで冷蔵室用ダクト１４０の内箱からの取り外しができる構成とすることにより、冷蔵室ダクト１４０の清掃性を向上できるとともに、冷蔵室用ダクト１４０には常に圧縮力が加わるため、冷蔵室用ダクト１４０と内箱とのシールを確実に行うことが可能となり、機密性の高い冷却通路１４３を有する冷蔵室ダクト１４０を提供することが可能となる。【選択図】図３
2008002732.tif 000002
【特許請求の範囲】
【請求項１】
内箱と外箱と発泡断熱材とからなる断熱箱体の貯蔵室内に、樹脂製パネルと風路を形成した断熱部材とを備えたダクト部材を取付部材にて前記貯蔵室内壁面に固定するものにおいて、前記取付部材はダクト部材を、工具を用いず手で回動により貯蔵室内壁面に圧縮力を付与して着脱可能に固定することを特徴とする冷蔵庫。
【請求項２】
前記ダクト部材は前記貯蔵室内の最上部に形成した冷蔵室の背面に配置する冷蔵室用ダクトとしたことを特徴とする請求項１に記載の冷蔵庫。
【請求項３】
前記取付部材はプッシュリベットとグロメットリベットとからなり、前記グロメットリベットの基部は内箱の発泡断熱材中に埋設され、受部は庫内に位置し、前記プッシュリベットは前記ダクト部材を介して工具を用いず手で押しながら回転により前記グロメットリベットの受部に係止され、また前記プッシュリベットを逆に回転することで係止が解除され前記ダクト部材が取り外し可能となることを特徴とする請求項１または２に記載の冷蔵庫。
【請求項４】
前記ダクト部材の内部には、電装部品を搭載せず、前記ダクト部材が独立して着脱可能としたことを特徴とする請求項１から３のいずれか一項に記載の冷蔵庫。
【請求項５】
前記ダクト部材の樹脂製パネル周縁に複数のツメ部を有し、前記ダクト部材の前記貯蔵室内壁面への固定を前記取付部材と前記ツメ部とで行なうことを特徴とする請求項１から４のいずれか一項に記載の冷蔵庫。
【請求項６】
前記ダクト部材は前記貯蔵室内の最上部に形成した冷蔵室の背面に配置する冷蔵室用ダクトとし、前記冷蔵室用ダクト上部の前記内箱への固定を前記冷蔵室背面パネルの上部両サイドに設けられたツメ部と前記冷蔵室用ダクトの取付部材とで行うことを特徴とする請求項２から４のいずれか一項に記載の冷蔵庫。
【請求項７】
前記取付部材は少なくとも前記ダクト部材の中央部近傍に配置したことを特徴とする請求項１から６のいずれか一項に記載の冷蔵庫。
【請求項８】
前記ダクト部材と前記内箱に設けられた凸部とで風路を形成することを特徴とする請求項１から７のいずれか一項に記載の冷蔵庫。
【発明の詳細な説明】
【技術分野】
【０００１】
本発明は冷却室から導かれる冷気を冷蔵室内に供給する冷蔵室用ダクトを備えた冷蔵庫に関するものである。
【背景技術】
【０００２】
近年、冷蔵庫は使用頻度の高い冷蔵室を使用者が収納物をより見易く、使い勝手の良い最上部に配置するものが多く見られる。通常、冷却器は冷凍室の背部に配置する冷却室に置くことから冷蔵室全域への冷気の供給を可能にするためには冷却室の背部から冷蔵室の背部にかけて引く冷蔵室用ダクトが欠かせない。通常、このダクトは十分な量の冷気を導くことのできる通路断面積の比較的大きいダクトが必要で、これは断熱構造の冷蔵室の内箱に沿って設けられる。
【０００３】
従来この種の冷蔵庫は、冷蔵室用ダクトの機密性を向上するため、冷蔵室用ダクトの背面側を薄いシートで覆うという方法が取られていた（例えば、特許文献１参照）。
【０００４】
図８は、特許文献１に記載された従来の冷蔵庫の冷蔵室用ダクトを示すものである。
【０００５】
図８に示すように、冷蔵室用ダクト３１は硬質樹脂材料からなる前側パネル３２と後側シート３３との間に発泡ウレタン等からなる断熱材３４挟み込むように構成される。冷蔵室の内箱の一部を構成する前側パネル３２は冷蔵室の背部にほぼ見合う大きさを有し、中央部の一部を除き、冷蔵室の背部にほぼ見合う大きさを有する断熱材３４の前面と接して設けられる。
【０００６】
また、断熱材３４とほぼ同じ大きさを有する後側シート３３は中央部の一部を除き、断熱材３４の後面と接して設けられる。断熱材３４には下端から上方にかけて互いの間に間隔を保って第１および第２の冷気通路３５、３６が形成される。第１の冷気通路３５は下端の入口３７から上方に延びており、上端近くの反転部を経て下端手前の終端部に結んで形成されている。第２の冷気通路３６は下端の別の入口３８から上方に延びており、上端近くの反転部を経て下端手前の終端部に結んで形成される。
【０００７】
さらに、第１および第２の冷気通路３５、３６には内側パネル３２に形成される図示しない複数個の冷気吹き出し口に合わせて穿たれる複数個のスリット３９が備えられる。
【０００８】
以上の構成において、図示しない冷却室からの冷気は断熱材３４の下端に形成された入口３７、３８に分かれて流入する。この冷気はそれぞれ第１および第２の冷気通路３５、３６を上昇しつつ流れ、反転部で反転して下方に向かう。第１および第２の冷気通路３５、３６を下降しつつ流れる冷気は、各々スリット３９から前面パネル３２の図示しない複数個の冷気吹き出し口を通って冷蔵室に吹き出し、冷蔵室の冷却を行う。
【特許文献１】特開平１０−１０３８４４号公報
【発明の開示】
【発明が解決しようとする課題】
【０００９】
しかしながら、上記従来の構成では、冷蔵室用ダクトの背面側が後側シートで覆われているため冷蔵室用ダクト内部の清掃性が悪いという問題があった。
【００１０】
本発明は、上記従来の課題を解決するもので、冷蔵室用ダクトと内箱とのシールを確実に行うことで、機密性の高い冷蔵室風路を実現するとともに、冷蔵室用ダクト内部の清掃性の向上を図る冷蔵庫を提供することを目的とする。
【課題を解決するための手段】
【００１１】
上記従来の課題を解決するために、本発明の冷蔵庫は、内箱と外箱と発泡断熱材とからなる断熱箱体の貯蔵室内に、樹脂製パネルと風路を形成した断熱部材とを備えたダクト部材を取付部材にて前記貯蔵室内壁面に固定するものにおいて、前記取付部材はダクト部材を、工具を用いず手で回動により貯蔵室内壁面に圧縮力を付与して着脱可能に固定するものである。
【００１２】
これによって、ダクト部材には常に圧縮力が加わるため、ダクト部材と内箱とのシールを確実に行うことができ、機密性の高い貯蔵室風路を実現することができる。
【００１３】
また、ダクト部材と内箱との取り付け、取り外しを工具を用いず取付部材で手動で容易に行えることができる。
【発明の効果】
【００１４】
本発明の冷蔵庫は、ダクト部材と内箱とのシールを確実に行うことができ、機密性の高い貯蔵室風路を実現することができ、冷却性能、信頼性の向上を図ることができる。
【００１５】
また、ダクト部材と内箱との取り付け、取り外しを手動で容易に行えるため、ダクト部材内部の清掃性が向上できる。
【発明を実施するための最良の形態】
【００１６】
請求項１に記載の発明は、内箱と外箱と発泡断熱材とからなる断熱箱体の貯蔵室内に、樹脂製パネルと風路を形成した断熱部材とを備えたダクト部材を取付部材にて前記貯蔵室内壁面に固定するものにおいて、前記取付部材はダクト部材を、工具を用いず手で回動により貯蔵室内壁面に圧縮力を付与して着脱可能に固定するものであり、ダクト部材と内箱とのシールを確実に行うことができ、機密性の高い貯蔵室風路を実現することができるとともに、ダクト部材と内箱との取り付け、取り外しを工具を用いず取付部材で手動で容易に行えることができるので、ダクト部材内部の清掃性が向上する。
【００１７】
請求項２に記載の発明は、請求項１に記載の発明において、前記ダクト部材は前記貯蔵室内の最上部に形成した冷蔵室の背面に配置する冷蔵室用ダクトとしたものであり、風路抵抗の比較的大きくなる冷蔵室用ダクトのシール性を向上できる。
【００１８】
請求項３に記載の発明は、請求項１または２に記載の発明において、前記取付部材はプッシュリベットとグロメットリベットとからなり、前記グロメットリベットの基部は内箱の発泡断熱材中に埋設され、受部は庫内に位置し、前記プッシュリベットは前記ダクト部材を介して工具を用いず手で押しながら回転により前記グロメットリベットの受部に係止され、また前記プッシュリベットを逆に回転することで係止が解除され前記ダクト部材が取り外し可能となるものであり、容易な構造でダクト部材と内箱とのシールを確実に行うことができ、機密性の高い貯蔵室風路を実現することができるとともに、ダクト部材と内箱との取り付け、取り外しを工具を用いず取付部材で手動で容易に行えることができる。
【００１９】
請求項４に記載の発明は、請求項１から３のいずれか一項に記載の発明において、前記ダクト部材の内部には、電装部品を搭載せず、前記ダクト部材が独立して着脱可能としたものであり、ダクト部材と内箱との取り付け、取り外しがより容易になり、ダクト部材の内部の清掃性をより向上することができる。
【００２０】
請求項５に記載の発明は、請求項１から４のいずれか一項に記載の発明において、前記ダクト部材の樹脂製パネル周縁に複数のツメ部を有し、前記ダクト部材の前記貯蔵室内壁面への固定を前記取付部材と前記ツメ部とで行なうものであり、前記ダクト部材周縁の前記内箱への固定をより簡素に確実に行うことができ、前記ダクト部材と前記内箱とのシールを確実に行うことで、機密性の高い貯蔵室風路を実現することができる。
【００２１】
請求項６に記載の発明は、請求項２から４のいずれか一項に記載の発明において、前記ダクト部材は前記貯蔵室内の最上部に形成した冷蔵室の背面に配置する冷蔵室用ダクトとし、前記冷蔵室用ダクト上部の前記内箱への固定を前記冷蔵室背面パネルの上部両サイドに設けられたツメ部と前記冷蔵室用ダクトの取付部材とで行うものであり、風路抵抗の比較的大きくなる冷蔵室用ダクトのシール性をさらに向上できる。
【００２２】
請求項７に記載の発明は、請求項１から６のいずれか一項に記載の発明において、前記取付部材は少なくとも前記ダクト部材の中央部近傍に配置したものであり、比較的隙間の生じやすいダクト部材中央部の内箱へのシールをより合理的に行なうことができる。
【００２３】
請求項８に記載の発明は、請求項１から７のいずれか一項に記載の発明において、前記ダクト部材と前記内箱に設けられた凸部とで風路を形成するものであり、前記ダクト部材と前記内箱とのシールをより確実に行うことが可能となり、機密性の高い貯蔵室風路を実現することができる。
【００２４】
以下、本発明による冷蔵庫の実施の形態について、図面を参照しながら説明する。なお、この実施の形態によってこの発明が限定されるものではない。
【００２５】
（実施の形態１）
図１は本発明の実施の形態１における冷蔵庫の正面図、図２は図１のＡ−Ａ線断面図、図３は同実施の形態における冷蔵庫の冷蔵室用ダクトの斜視図、図４は同実施の形態における冷蔵庫の冷蔵室背面パネルの斜視図、図５は同実施の形態における冷蔵庫の冷蔵室用ダクト固定用のプッシュリベットの斜視図、図６は同実施の形態における冷蔵庫の冷蔵室用ダクト固定用のグロメットリベットの斜視図、図７は同実施の形態における冷蔵庫の内箱の正面図である。
【００２６】
図において、冷蔵庫本体１０１は断熱箱体１０２内に複数に区画された貯蔵室を有しており、上部より冷蔵室１０３、製氷室１０４及びこの製氷室１０４に並設された多目的室１０５、野菜室１０６、冷凍室１０７の順に配置されている。
【００２７】
また、冷蔵室１０３の最下段には、冷蔵室１０３に内蔵されたチルド室が形成されている。
【００２８】
各貯蔵室の前面開口部には、例えばウレタンのような発泡断熱材を発泡充填した断熱扉が設けられ、冷蔵室１０３には回転式の扉１０８、製氷室１０４、多目的室１０５、野菜室１０６、冷凍室１０７には、それぞれ引き出し式の扉１０９、１１０、１１１、１１２が設けられている。
【００２９】
断熱箱体１０２は、ＡＢＳなどの樹脂体を真空成型した内箱１１３とプリコート鋼板などの金属材料を用いた外箱１１４とで構成された空間に発泡断熱材１１５を注入してなる断熱壁を備えている。発泡断熱材１１５はたとえば硬質ウレタンフォームやフェノールフォームやスチレンフォームなどが用いられる。発泡材としてはハイドロカーボン系のシクロペンタンを用いると、温暖化防止の観点でさらによい。
【００３０】
次に、断熱箱体１０２の各貯蔵室について説明する。
【００３１】
冷蔵室１０３は冷蔵保存のために凍らない温度を下限に通常１〜５℃で設定されている。冷蔵室１０３の冷却は、冷蔵室１０３の背面に取り付けられた冷蔵室用ダクト１４０から吐出される冷気により行われる。貯蔵室内は上方を圧縮機１２０を収納するための凹み部が突出して形成され、食品などを整理して収納するための複数の棚１２１を設けている。最下段には肉魚などの保鮮性向上のためのチルドケース１２２を設け比較的低めの温度、たとえば−３〜１℃で設定されている。
【００３２】
製氷室１０４は、氷を生成して貯留するために通常−２２〜−１８℃で設定される。庫内は氷を生成するための図示しない製氷機構を設け、氷を貯留する図示しない貯氷容器を収容している。
【００３３】
多目的室１０５は、冷凍、冷蔵、チルド、パーシャルフリージング等の温度帯の切替室や調理、熟成、解凍、乾燥、保温等の処理機能を備えた貯蔵室であり、食品を収納、貯留する多目的室容器１２３を収納している。
【００３４】
野菜室１０６は、冷蔵室１０３と同等もしくは若干高い温度設定の２℃〜７℃とすることが一般的で、低温にするほど葉野菜の鮮度を長期間維持することが可能である。庫内は野菜などの食品を整理して収納できる野菜室容器１２４を収容している。
【００３５】
冷凍室１０７は、冷凍保存のために通常−２２〜−１８℃で設定されているが、冷凍保存状態の向上のために、たとえば−３０や−２５℃の低温で設定されることもある。庫内は食品を整理して収納できる冷凍室容器１２５を収容している。
【００３６】
野菜室１０６と冷凍室１０７の背面に冷却室１２６が設けられ、冷却室１２６は断熱性を有する仕切壁１２７で野菜室１０６及び冷凍室１０７を仕切っている。
【００３７】
冷却室１２６には、庫内の空気を熱交換させて冷気に変換する蒸発器１２８と、各貯蔵室に冷気を送るための冷却ファン１２９をその上方に位置させ、冷却時に蒸発器１２８に付着する霜を除霜するためのヒータなどで構成された除霜装置１３０が備えられている。
【００３８】
次に、断熱箱体１０２の天面部について説明する。
【００３９】
断熱箱体１０２の天面後方のコーナー部には、冷蔵室１０３の庫内側に突出する形で凹ませた上部機械室１３２が形成されている。上部機械室１３２の内部には、圧縮機１２０と図示しない圧縮機放熱用ファンが収納されている。
【００４０】
圧縮機１２０は冷蔵庫本体１０１の上部への設置を考慮して低騒音、低振動化を図りやすい内部低圧型でかつ往復動型の圧縮機を適用している。また、冷凍サイクル内の冷媒としては、地球環境保全の観点から地球温暖化係数が小さい可燃性冷媒であるイソブタンを使用している。
【００４１】
次に、断熱箱体１０２の底面部について説明する。
【００４２】
断熱箱体１０２の底面後方のコーナー部には、下部機械室１３３が形成されている。下部機械室１３３の内部には、除霜装置１３０により除霜された水を貯留するための蒸発皿１３１と図示しない蒸発促進用ファンが収納されている。
【００４３】
次に、冷蔵室用ダクト１４０について説明する。
【００４４】
冷蔵室用ダクト１４０は、硬質樹脂材料からなる冷蔵室背面パネル１４１と発泡ポリプロピレンなどの軟質発泡樹脂からなる発泡断熱材１４２により構成される。
【００４５】
冷蔵室背面パネル１４１には、複数個の冷蔵室吐出口１４４、チルド室吐出口１４５、冷蔵室吸込み口１４６が形成され、冷蔵室吸込口１４６の下部には、脱臭触媒が装着されている。
【００４６】
発泡断熱材１４２は、内箱１１３と圧接し、冷気通路１４３を形成する発泡断熱材凸部１５２を有し、複数個の冷蔵室吐出口１４４に合わせて穿たれた複数個の冷蔵室吐出スリット１４７、チルド室吐出口１４５に合わせて穿たれたチルド室吐出スリット１４８が形成されている。
【００４７】
発泡断熱材１４２と内箱１１３とで形成された冷気通路１４３は、発泡断熱材１４２の下端から上方にかけて構成され、途中で左右に分岐している。
【００４８】
次に、冷蔵室用ダクト１４０の内箱１１３への取り付け、取り外しについて説明する。
【００４９】
プッシュリベット１６０は、冷蔵室用ダクト１４０を内箱１１３に取り付けるためのオス型の固定具であり、手動で操作するためのつまみ部１６２とグロメットリベット１６３の凹部１６５と嵌合する凸部１６１から形成されている。
【００５０】
グロメットリベット１６３は、冷蔵室用ダクト１４０を内箱１１３に取り付けるためのメス型の固定具であり、プッシュリベット１６０の凸部１６１と嵌合する凹部１６５と内箱１１３の内部に埋設され、発泡断熱材１１５により固定される凸部１６４から形成されている。
【００５１】
冷蔵室用ダクト１４０には、上段リベット穴部１５０と中段リベット穴部１５１が形成されており、プッシュリベット１６０のつまみ部１６２を手でつまんで持ち、それぞれのリベット穴部を介して、プッシュリベット１６０の凸部１６１を、グロメットリベット１６３の凹部１６５に挿入し、手動で押し付け力を加えながら回転させることでプッシュリベット１６０がグロメットリベット１６３に固定され、冷蔵室用ダクト１４０が内箱１１３に取り付けられる。
【００５２】
プッシュリベット１６０がグロメットリベット１６３に固定された状態においては、冷蔵室用ダクト１４０には、内箱１１３に対して押し付け力（圧縮力）が働いている。この押し付け力により、発泡断熱材凸部１５２が内箱１１３に確実に圧接され、その外周において冷気漏れを起こさない冷気通路１４３を形成している。
【００５３】
また、通常、発泡断熱材凸部１５２には、図示しない軟質ウレタンフォーム等の緩衝材が貼られており、軟質ウレタンフォームを圧縮することで、冷蔵室用ダクト１４０と内箱１１３のシール性を確保する仕様となっている。
【００５４】
冷蔵室用ダクト１４０の内箱１１３からの取り外しについては、プッシュリベット１６０を取り付けとは逆方向に手動で回転させることにより、プッシュリベット１６０はグロメットリベット１６３から分離され、冷蔵室用ダクト１４０の内箱１１３からの取り外しが可能となる。
【００５５】
上記構成からなる冷蔵室用ダクト１４０においては、冷却室１２６から冷却ファン１２９の強制対流により冷蔵室用ダンパー１３５を介して上昇する冷気が、発泡断熱材１４２の下端から冷気通路１４３に流入する。冷気通路１４３に流入した冷気は、上昇しながら、チルド室吐出スリット１４８から冷蔵室背面パネル１４１のチルド室吐出口１４５を通ってチルド室１３４に吹き出すとともに、冷蔵室吐出スリット１４７から冷蔵室背面パネル１４１の冷蔵室吐出口１４４を通って冷蔵室１０３に吹き出し、区分された保存区域を流動する。
【００５６】
以上のように構成された冷蔵庫において、以下その作用を説明する。
【００５７】
冷蔵室用ダクト１４０は、プッシュリベット１６０を手動で回転方向の押し付け力を加えながら内箱１１３に埋設されるグロメットリベット１６３にねじ込むことで、圧縮力が加わった状態で内箱１１３に取り付けられ、プッシュリベット１６０を取り付けとは逆回転方向に手動で回すことで冷蔵室用ダクト１４０の内箱１１３からの取り外しができる構成とすることにより、冷蔵室用ダクト１４０には常に圧縮力が加わるため、冷蔵室用ダクト１４０と内箱１１３とのシールを確実に行うことが可能となり、機密性の高い冷却通路１４３を有する冷蔵室ダクト１４０を提供することが可能となる。
【００５８】
また、冷蔵室用ダクト１４０と内箱１１３との取り付け、取り外しを手動で容易に行うことが可能となる。
【００５９】
さらに、冷蔵室用ダクト１４０の内部は開放されているため、冷蔵室用ダクト１４０の内部の清掃性が向上する。
【００６０】
また、冷蔵室用ダクト１４０には、電装部品が搭載されていないため、冷蔵室用ダクト１４０と内箱１１３との取り付け、取り外しがより容易になり、冷蔵室用ダクト１４０の内部の清掃性をより向上することができる。
【００６１】
一般的に、冷蔵室用ダクト１４０には、冷却量調整用の冷蔵室用ダンパー、温度検出用の冷蔵室用センサー、庫内照明用の庫内灯等の電装部品が搭載されているが、例えば、冷蔵室用ダンパーは並設されている製氷室１０４と多目的室１０５の背面側の吐出ダクト内に配設し、冷蔵室用センサーは冷蔵室吸込み口１４６近傍の吸込み風路内の内箱１１３に配設し、庫内灯は冷蔵室側面または冷蔵室天面に配設する構成とすることで、冷蔵室用ダクト１４０には、電装部品を搭載しない構成とすることが可能となる。
【００６２】
また、冷蔵室用ダクト１４０上部の内箱１１３への固定を冷蔵室背面パネル１４１の上部両サイドに設けられた上段ツメ部１５３による内箱１１３への押し付け力と冷蔵室用ダクト１４０の上方中央部に設けた上段リベット穴部１５０に挿入したプッシュリベット１６０による内箱１１３への押し付け力により行うことで、冷蔵室ダクト１４０上部の両サイドと中央部を確実に固定し、冷蔵室用ダクト１４０上部の内箱１１３への固定をより確実に行うことができ、冷蔵室用ダクト１４０と内箱１１３とのシールを確実に行うことで、機密性の高い冷却通路１４３を有する冷蔵室ダクト１４０を提供することが可能となる。
【００６３】
また、冷蔵室用ダクト１４０中間部の内箱１１３への固定を冷蔵室背面パネル１４１の中段両サイドに設けられた中段ツメ部１５４による内箱１１３への押し付け力と冷蔵室用ダクト１４０の中段中央部に設けた中段リベット穴部１５１に発泡断熱材１４２を介して挿入したプッシュリベット１６０による内箱１１３への平面的な押し付け力により行うことで、冷蔵室ダクト１４０中段の両サイドと中央部を確実に固定し、冷蔵室用ダクト１４０中段の内箱１１３への固定をより確実に行うことができ、冷蔵室用ダクト１４０と内箱１１３とのシールを確実に行うことで、機密性の高い冷却通路１４３を有する冷蔵室ダクト１４０を提供することが可能となる。
【００６４】
さらに、発泡断熱材凸部１５２と内箱１１３に設けられた冷蔵室内箱凸部１７１とで風路圧接部を形成することで、冷蔵室用ダクト１４０と内箱１１３とのシールを確実に行うことが可能となり、機密性の高い冷蔵室冷却通路１４３を有する冷蔵室ダクト１４０を提供することが可能となる。
【００６５】
尚、冷蔵室用ダクト１４０の内箱１１３への押し付け力（圧縮力）付与手段としては、冷蔵室１０３に設けられた冷蔵室棚１２１を押し込み固定する構成としても良い。
【００６６】
また、チルド室１３４を形成する上面仕切り板や縦仕切り板を押し込み固定する構成としても良い。
【００６７】
さらに、冷蔵室背面パネル１４１の上段ツメ部１５３および中段ツメ部１５４にテーパを設け、相手側である内箱１１３の受け部との間に、押し付け力（圧縮力）が発生する構成としても良い。
【産業上の利用可能性】
【００６８】
以上のように、本発明にかかる冷蔵庫は、家庭用又は業務用冷蔵庫において冷蔵室用ダクトと内箱との取り付け、取り外しを工具なしで、手動で容易に行うことを実現するとともに、機密性の高い冷気通路を実現し、冷蔵室用ダクト内部の清掃性の向上を図ることが可能となるため、同様のダクトを有する他の冷却機器にも適用できる。
【図面の簡単な説明】
【００６９】
【図１】本発明の実施の形態１における冷蔵庫の正面図
【図２】図１のＡ−Ａ線断面図
【図３】同実施の形態における冷蔵庫の冷蔵室用ダクトの斜視図
【図４】同実施の形態における冷蔵庫の冷蔵室背面パネルの斜視図
【図５】同実施の形態における冷蔵庫の冷蔵室用ダクト固定用のプッシュリベットの斜視図
【図６】同実施の形態における冷蔵庫の冷蔵室用ダクト固定用のグロメットリベットの斜視図
【図７】同実施の形態の冷蔵庫の内箱の正面図
【図８】従来の冷蔵庫の冷蔵室用ダクトの斜視図
【符号の説明】
【００７０】
１０１  冷蔵庫本体
１０２  断熱箱体
１０３  冷蔵室
１１３  内箱
１１４  外箱
１１５  発泡断熱材
１４０  冷蔵室用ダクト
１４１  冷蔵室背面パネル
１４２  発泡断熱材
１４３  冷気通路
１５２  発泡断熱材凸部
１５３  上段ツメ部
１５４  中段ツメ部
１６０  プッシュリベット
１６１  プッシュリベット凸部
１６３  グロメットリベット
１６４  グロメットリベット凸部
１６５  グロメットリベット凹部
１７０  冷蔵室内箱凸部
【図１】
2008002732.tif 000003
【図２】
2008002732.tif 000004
【図５】
2008002732.tif 000005
【図３】
2008002732.tif 000006
【図４】
2008002732.tif 000007
【図６】
2008002732.tif 000008
【図７】
2008002732.tif 000009
【図８】
2008002732.tif 000010